(57)【要約】【課題】印刷データがこれに基づき得られる印刷物から復元可能であるように印刷データを作成する印刷データ作成装置を提供する。【解決手段】所定のレイアウトデータをＰＤＬ変換したＰＤＬ化レイアウトデータを、所定のエンコード手法でシンボル化し、得られたシンボルの画像データをＰＤＬ変換する。これをＰＤＬ化レイアウトデータに合成したものを印刷データとして印刷装置に供する。該印刷データを印刷処理に供することにより、レイアウト時に意図された表現内容の像である実体像ＩＭにシンボルＳＢが付加された印刷物ＰＭが得られる。エンコード手法に対応したデコード手法を備える所定の復元処理装置によってシンボルＳＢを読み取り、これをデコードすることで、ＰＤＬ化レイアウトデータが忠実に復元できる。これにより、印刷物としてドキュメントを保存しておきさえすれば、電子データを保存せずともレイアウトデータの再利用が容易に行える。【選択図】図５
2006148753.tif 000002
【特許請求の範囲】
【請求項１】
所定の印刷装置で出力処理可能な印刷データを作成する印刷データ作成装置であって、
第１のレイアウトデータを作成するレイアウト処理手段と、
特定の記述形式のデータを前記所定の印刷装置で処理可能なページ記述言語による記述形式のデータに変換する変換手段と、
所定の復元手段によって可逆的にデコード可能な手法でエンコードすることで前記ページ記述言語で記述されたデータをシンボル化するシンボル化手段と、
前記ページ記述言語で記述された２以上のデータを合成することにより印刷データを生成する合成手段と、
を備え、
前記変換手段は前記第１のレイアウトデータを変換して第２のレイアウトデータを生成し、
前記シンボル化手段は前記第２のレイアウトデータをシンボル化して第１のシンボルデータを生成し、
前記変換手段は前記第１のシンボルデータを変換して第２のシンボルデータを生成し、
前記合成手段は前記第２のレイアウトデータと前記第２のシンボルデータとを合成して前記印刷データを生成する、
ことを特徴とする印刷データ作成装置。
【請求項２】
請求項１に記載の印刷データ作成装置であって、
前記シンボル化手段は、前記第２のレイアウトデータから前記シンボルデータとして複数の単位シンボルデータを生成する、
ことを特徴とする印刷データ作成装置。
【請求項３】
請求項１または請求項２に記載の印刷データ作成装置であって、
前記第２のシンボルデータに基づく像が印刷物作成時に裁ち落とされる領域に形成されるように前記印刷データを生成する、
ことを特徴とする印刷データ作成装置。
【請求項４】
請求項１ないし請求項３のいずれかに記載の印刷データ作成装置であって、
前記所定の印刷装置における印刷に際し、前記第２のシンボルデータに基づく像が可視光に対して透明なインクを用いて印刷されるように前記印刷データを生成する、
ことを特徴とする印刷データ作成装置。
【請求項５】
請求項１ないし請求項４のいずれかに記載の印刷データ作成装置であって、
前記シンボル化手段が、前記第２のレイアウトデータのうち、多値画像を表現するイメージデータを除いて該第２のレイアウトデータをシンボル化する、
ことを特徴とする印刷データ作成装置。
【請求項６】
請求項１ないし請求項５のいずれかに記載の印刷データ作成装置と、
印刷物に印刷されてなる所定のシンボルにエンコードされたデータを復元する復元処理装置と、
を備える印刷システムであって、
前記復元処理装置は、
印刷物の少なくとも一部の像を読み取って画像データを得る読取手段と、
前記読取手段が前記所定のシンボルを読み取ることにより得られた前記シンボルの画像データをデコードすることにより前記エンコードされたデータを復元する復元処理手段と、
を備え、
前記復元処理手段は、前記印刷データ作成装置においてエンコードされたデータをデコード可能である、
ことを特徴とする印刷システム。
【請求項７】
請求項５に記載の印刷データ作成装置と、
印刷物に印刷されてなる所定のシンボルにエンコードされたデータを復元する復元処理装置と、
を備える印刷システムであって、
前記復元処理装置は、
前記所定のシンボルを読み取るためのシンボル読取手段と、
印刷物の少なくとも一部の像を読み取って画像データを得る画像読取手段と、
前記シンボル読取手段が前記所定のシンボルを読み取ることにより得られた前記シンボルの画像データをデコードすることにより前記データを復元する復元処理手段と、
を備え、
前記復元処理手段は、前記印刷データ作成装置においてエンコードされたデータをデコード可能であり、かつ、前記復元処理手段によってデコードされたデータと前記画像読取手段によって読み取られた印刷物の画像部分のデータとを合成することにより前記印刷データ作成装置においてエンコードの対象となったデータを復元する、
ことを特徴とする印刷システム。
【請求項８】
請求項７に記載の印刷システムにおける復元処理装置において、
前記画像読取手段が、前記シンボル読取手段を兼用すること、
を特徴とする印刷システム。
【請求項９】
所定の印刷装置で出力処理可能な印刷データのバックアップ方法であって、
第１のレイアウトデータを作成するレイアウト処理工程と、
前記第１のレイアウトデータを前記所定の印刷装置で処理可能なページ記述言語による記述形式の第２のレイアウトデータに変換する第１の変換工程と、
所定の復元手段によって可逆的にデコード可能な手法でエンコードすることで前記第２のレイアウトデータをシンボル化して第１のシンボルデータを生成するシンボル化工程と、
前記第１のシンボルデータを前記ページ記述言語による記述形式の第２のシンボルデータに変換する第２の変換工程と、
前記第２のレイアウトデータと前記第２のシンボルデータとを合成することにより印刷データを生成する合成工程と、
前記印刷装置により前記印刷データに基づく印刷物を出力する印刷工程と、
を備えることを特徴とする印刷データのバックアップ方法。
【請求項１０】
コンピュータで実行されることにより、前記コンピュータを、請求項１ないし請求項５のいずれかに記載の印刷データ作成装置として機能させることを特徴とするプログラム。
【請求項１１】
コンピュータで実行されることにより、前記コンピュータに、
第１のレイアウトデータを作成するレイアウト処理工程と、
前記第１のレイアウトデータを前記所定の印刷装置で処理可能なページ記述言語による記述形式の第２のレイアウトデータに変換する第１の変換工程と、
所定の復元手段によって可逆的にデコード可能な手法でエンコードすることで前記第２のレイアウトデータをシンボル化して第１のシンボルデータを生成するシンボル化工程と、
前記第１のシンボルデータを前記ページ記述言語による記述形式の第２のシンボルデータに変換する第２の変換工程と、
前記第２のレイアウトデータと前記第２のシンボルデータとを合成することにより印刷データを生成する合成工程と、
を実現させることを特徴とするプログラム。
【発明の詳細な説明】
【技術分野】
【０００１】
本発明は、印刷用レイアウトデータの作成、特に再利用を行う可能性のあるデータの作成に関する。
【背景技術】
【０００２】
印刷物の作成対象となったドキュメント（ここでは文章に限らず、画像も含む）を、電子データの状態で保存しておくことは、後に再利用できるという点で有効である。これは、可搬性の記憶メディアに保存したり、あるいはコンピュータのハードディスクや専用のデータベースサーバに保存するといった態様で広く実現されている。
【０００３】
一方で、ドキュメントを長期間保存する場合は、いまだに紙媒体に印刷した印刷物の状態で保存するケースが少なくない。印刷物として保存されたドキュメント（文章や画像などから構成される）の内容から当該ドキュメントを表現する電子データを生成して、再利用に供することも広くなされている。スキャナによって読み取ることによりイメージデータとして取得したり、さらにはＯＣＲ（Optical Character Reader）ソフトウェアなどを用いてテキストデータを取得するといった態様が代表的である。
【０００４】
また、二次元コードを利用して、印刷された各種書類の真正性や複写発行した各種文書の真正性を検証することができ、これにより偽造や不正使用の防止を可能とする技術が既に公知である（例えば、特許文献１参照。）。
【０００５】
【特許文献１】特開２００３−３２３５１２号公報
【発明の開示】
【発明が解決しようとする課題】
【０００６】
上述のような電子データを可搬性の記憶メディアに保存する場合、該メディアの耐久性の面で問題がある。一方、ネットワーク上にあるコンピュータやデータベースサーバなどに保存する場合にはセキュリティの面で問題がある。また、技術革新の結果として旧式となってしまったメディア等にすでに保存されている電子データをも継続して再利用可能としておくためには、読み出し可能な環境を維持しておかねばならず、そのためのコストがかかる、という問題もある。
【０００７】
また、紙媒体である印刷物から電子データを生成するとしても、例えばイメージスキャナ等を用いて該印刷物のイメージデータを生成するのみでは、特に印刷物に記述されている文章をテキスト形式の電子データ（テキストデータ）として再利用することは困難である。かかる場合、ＯＣＲソフトウェアを用いることで、印字品質が良好であればテキストデータの入手は比較的容易に行えるものの、印刷装置における印刷処理に供すればもとの印刷物の表現内容を忠実に再現できるような形式で記述されたデータの生成までを行えるものではない。
【０００８】
特許文献１には、印刷物を識別するための情報を二次元コード化したうえで該印刷物に付加的に印刷しておき、文書の不正使用や改ざん防止に役立てる技術が開示されてはいるが、係る技術は、印刷物からその内容を表現するデータの復元を目的とするものではない。また、印刷物のレイアウト内容を二次元コード化するものでもない。
【０００９】
本発明は、上記課題に鑑みてなされたものであり、所定のページ記述言語で記述された印刷データ（印刷用レイアウトデータ）が、該印刷データに基づいた印刷処理により得られる印刷物から復元可能であるように、該印刷データを作成する印刷データ作成装置、およびこれを含む印刷システムを提供することを目的とする。
【課題を解決するための手段】
【００１０】
請求項１の発明は、所定の印刷装置で出力処理可能な印刷データを作成する印刷データ作成装置であって、第１のレイアウトデータを作成するレイアウト処理手段と、特定の記述形式のデータを前記所定の印刷装置で処理可能なページ記述言語による記述形式のデータに変換する変換手段と、所定の復元手段によって可逆的にデコード可能な手法でエンコードすることで前記ページ記述言語で記述されたデータをシンボル化するシンボル化手段と、前記ページ記述言語で記述された２以上のデータを合成することにより印刷データを生成する合成手段と、を備え、前記変換手段は前記第１のレイアウトデータを変換して第２のレイアウトデータを生成し、前記シンボル化手段は前記第２のレイアウトデータをシンボル化して第１のシンボルデータを生成し、前記変換手段は前記第１のシンボルデータを変換して第２のシンボルデータを生成し、前記合成手段は前記第２のレイアウトデータと前記第２のシンボルデータとを合成して前記印刷データを生成する、ことを特徴とする。
【００１１】
請求項２の発明は、請求項１に記載の印刷データ作成装置であって、前記シンボル化手段は、前記第２のレイアウトデータから前記シンボルデータとして複数の単位シンボルデータを生成する、ことを特徴とする。
【００１２】
請求項３の発明は、請求項１または請求項２に記載の印刷データ作成装置であって、前記第２のシンボルデータに基づく像が印刷物作成時に裁ち落とされる領域に形成されるように前記印刷データを生成する、ことを特徴とする。
【００１３】
請求項４の発明は、請求項１ないし請求項３のいずれかに記載の印刷データ作成装置であって、前記所定の印刷装置における印刷に際し、前記第２のシンボルデータに基づく像が可視光に対して透明なインクを用いて印刷されるように前記印刷データを生成する、ことを特徴とする。
【００１４】
請求項５の発明は、請求項１ないし請求項４のいずれかに記載の印刷データ作成装置であって、前記シンボル化手段が、前記第２のレイアウトデータのうち、多値画像を表現するイメージデータを除いて該第２のレイアウトデータをシンボル化する、ことを特徴とする。
【００１５】
請求項６の発明は、請求項１ないし請求項５のいずれかに記載の印刷データ作成装置と、印刷物に印刷されてなる所定のシンボルにエンコードされたデータを復元する復元処理装置と、を備える印刷システムであって、前記復元処理装置は、印刷物の少なくとも一部の像を読み取って画像データを得る読取手段と、前記読取手段が前記所定のシンボルを読み取ることにより得られた前記シンボルの画像データをデコードすることにより前記エンコードされたデータを復元する復元処理手段と、を備え、前記復元処理手段は、前記印刷データ作成装置においてエンコードされたデータをデコード可能である、ことを特徴とする。
【００１６】
請求項７の発明は、請求項５に記載の印刷データ作成装置と、印刷物に印刷されてなる所定のシンボルにエンコードされたデータを復元する復元処理装置と、を備える印刷システムであって、前記復元処理装置は、前記所定のシンボルを読み取るためのシンボル読取手段と、印刷物の少なくとも一部の像を読み取って画像データを得る画像読取手段と、前記シンボル読取手段が前記所定のシンボルを読み取ることにより得られた前記シンボルの画像データをデコードすることにより前記データを復元する復元処理手段と、を備え、前記復元処理手段は、前記印刷データ作成装置においてエンコードされたデータをデコード可能であり、かつ、前記復元処理手段によってデコードされたデータと前記画像読取手段によって読み取られた印刷物の画像部分のデータとを合成することにより前記印刷データ作成装置においてエンコードの対象となったデータを復元する、ことを特徴とする。
【００１７】
請求項８の発明は、請求項７に記載の印刷システムにおける復元処理装置において、前記画像読取手段が、前記シンボル読取手段を兼用すること、を特徴とする。
【００１８】
請求項９の発明は、所定の印刷装置で出力処理可能な印刷データのバックアップ方法であって、第１のレイアウトデータを作成するレイアウト処理工程と、前記第１のレイアウトデータを前記所定の印刷装置で処理可能なページ記述言語による記述形式の第２のレイアウトデータに変換する第１の変換工程と、所定の復元手段によって可逆的にデコード可能な手法でエンコードすることで前記第２のレイアウトデータをシンボル化して第１のシンボルデータを生成するシンボル化工程と、前記第１のシンボルデータを前記ページ記述言語による記述形式の第２のシンボルデータに変換する第２の変換工程と、前記第２のレイアウトデータと前記第２のシンボルデータとを合成することにより印刷データを生成する合成工程と、前記印刷装置により前記印刷データに基づく印刷物を出力する印刷工程と、を備えることを特徴とする。
【００１９】
請求項１０の発明は、コンピュータで実行されることにより、前記コンピュータを、請求項１ないし請求項５のいずれかに記載の印刷データ作成装置として機能させることを特徴とする。
【００２０】
請求項１１の発明は、コンピュータで実行されることにより、前記コンピュータに、第１のレイアウトデータを作成するレイアウト処理工程と、前記第１のレイアウトデータを前記所定の印刷装置で処理可能なページ記述言語による記述形式の第２のレイアウトデータに変換する第１の変換工程と、所定の復元手段によって可逆的にデコード可能な手法でエンコードすることで前記第２のレイアウトデータをシンボル化して第１のシンボルデータを生成するシンボル化工程と、前記第１のシンボルデータを前記ページ記述言語による記述形式の第２のシンボルデータに変換する第２の変換工程と、前記第２のレイアウトデータと前記第２のシンボルデータとを合成することにより印刷データを生成する合成工程と、を実現させることを特徴とする。
【発明の効果】
【００２１】
請求項１ないし請求項１１の発明によれば、印刷物に形成されたシンボルをデコードすることで、該印刷物を得るための印刷用レイアウトデータを忠実に復元できる。これにより、電子データの形式でデータを保存しておかずとも、係る印刷物を保存しておき、必要に応じて復元処理を実行することで、該レイアウトデータの再利用が容易に行える。換言すれば、印刷データのバックアップデータを、紙媒体の状態で保存し、必要に応じて該バックアップデータを再利用することができる。例えば、比較的印刷工程が簡易な無版のデジタル印刷装置を用いて印刷を行い、該印刷物を保存することで、比較的印刷工程が複雑な有版印刷のいわゆる置き版の代わりとすることができる。
【００２２】
特に、請求項２の発明によれば、印刷物の表現内容や用紙サイズ、余白の大小などに応じて複数の単位シンボルに分割してシンボルを配置できるので、印刷物における配置の自由度が高まる。
【００２３】
特に、請求項３の発明によれば、復元処理を行うには裁ち落とし前の印刷物を保存しておくことが必要となる。そのような状態の印刷物を保有していなければ、復元処理は行えないので、該印刷物の作成者が意図しない復元によって内容が改ざんされた印刷物が作成されることが抑制できる。
【００２４】
特に、請求項４の発明によれば、シンボルデータに基づいて形成される像を印刷物のページの任意位置にオーバープリントしても、印刷物の実体像の視認を妨げることがないので、本来の表現内容やレイアウト状態によってシンボルの配置位置が制限されることがなくなるため、シンボルの配置の自由度が高まる。この場合、単に印刷物を見る者には通常、データの復元のためにシンボルが印刷されていることがわからないため、該印刷物の作成者が意図しない復元によって内容が改ざんされた印刷物が作成されることが抑制できる。
【００２５】
特に、請求項５および請求項８の発明によれば、シンボル化の対象となるデータのデータ容量が抑制され、処理が効率化できるとともに、印刷物に形成する単位シンボルの個数を抑制することができる。
【発明を実施するための最良の形態】
【００２６】
＜システム構成＞
図１は、本発明の実施の形態に係る印刷データ作成装置１を含む印刷システム１０の構造を模式的に示す図である。印刷システム１０は、例えばＰＤＦ（Portable Document Format）などの所定のページ記述言語（ＰＤＬ：Page Description Language）で記述された印刷用レイアウトデータ（以下、単に「印刷データ」と称する）を作成し、該印刷データに基づいて印刷物を出力するシステムである。印刷システム１０は、印刷データ作成装置１の他に、印刷装置２と、復元処理装置３とを主として備える。印刷データ作成装置１は、印刷装置２と復元処理装置３とネットワークＮを介して接続されている。
【００２７】
＜印刷データ作成装置＞
印刷データ作成装置１は、例えばコンピュータによって実現される装置である。印刷データ作成装置１は、所定のプログラム１３ｐを実行することにより、印刷物の作成に係るドキュメントにおいて表現しようとする文章や画像などの作成や編集、印刷用紙におけるそれらの配置位置の設定などを行ってレイアウトデータを作成するレイアウト処理や、該レイアウトデータを印刷装置２において処理可能な所定のＰＤＬ形式のレイアウトデータに変換するＰＤＬ変換処理などを担う。さらに、印刷データ作成装置１においては、印刷データが、これに基づく印刷処理により得られる印刷物から該印刷データ自体が復元可能であるように作成される点で特徴的である。
【００２８】
印刷データ作成装置１は、図１に示すように、オペレータが各種の指示を入力するためのマウスやキーボードなどからなる操作部１１と、ディスプレイ等の表示部１２と、ハードディスクなどにより構成され、該コンピュータを印刷データ作成装置１として機能させるためのプログラム１３ｐなどを保存するための記憶部１３と、ＤＶＤ−ＲＡＭ／ＲＷ、ＣＤ−ＲＷなど種々の可搬性の記録媒体との間でデータのリード／ライトを行うメディアリーダ／ライタなどからなるＲ／Ｗ部１４と、ネットワークＮ上の他の装置との間や、通信線ＣＬを介し印刷装置２や復元処理装置３との間でデータの受け渡しを行うためのインターフェースとしての通信部１５と、ＣＰＵ１６ａ、ＲＯＭ１６ｂ、およびＲＡＭ１６ｃから構成され、後述する各機能を実現する制御部１６とを主として備える。
【００２９】
なお、印刷データ作成装置１においては、操作部１１を通じた操作内容や、種々の処理についての処理状況などを表示部１２にて表示させつつ処理を行うことができる、いわゆるＧＵＩ（Graphical User Interface）が、制御部１６、操作部１１、表示部１２の機能により実現されている。制御部１６に実現される後述する各部における処理も、このＧＵＩを用いて行われる。
【００３０】
図２は、印刷データ作成装置１の制御部１６において実現される機能を説明するための図である。制御部１６においては、記憶部１３に記憶されている所定のプログラム１３ｐ（図１）が実行されることにより、ＣＰＵ１６ａ、ＲＯＭ１６ｂ、およびＲＡＭ１６ｃの作用によって、レイアウト処理部４と、ＰＤＬ変換部５と、シンボル化処理部６と、データ合成部７とが、主として実現される。なお、図２には、印刷データ作成装置１における種々の処理の際のデータの流れを併せて示している。
【００３１】
レイアウト処理部４は、ドキュメントのレイアウトデータを作成するための処理を担う。レイアウト処理部４の作用により、オペレータによるＧＵＩを介したテキストデータ（文章データ）や画像データなどといったレイアウトオブジェクトの作成や編集が実現されるとともに、これらのオブジェクトを含むレイアウトデータＤＬの生成が実現される。レイアウトデータＤＬにおいては、それぞれのオブジェクトによって表現される像の、印刷用紙上における配置位置が定められてなる。なお、レイアウト処理には、公知の処理プログラムを適用可能である。
【００３２】
ＰＤＬ変換部５は、レイアウト処理部４にて作成されたレイアウトデータＤＬを、印刷装置２で解釈可能な所定のＰＤＬ形式で記述されたデータに変換する。係る変換によって生成されるデータをＰＤＬ化レイアウトデータＤＬＰと称することとする。ＰＤＬ化レイアウトデータＤＬＰは、例えば、ＰＤＦ形式やPostScript（登録商標）形式にて記述される。また、ＰＤＬ変換部５は、次述するシンボルデータＤＳに対しても同様にＰＤＬ変換を施す。これにより生成されるデータをＰＤＬ化シンボルデータＤＳＰと称する。なお、ＰＤＬ変換には、公知の処理プログラムを適用可能である。図４は、仮にＰＤＬ化レイアウトデータＤＬＰを用いて印刷装置２が印刷処理を行った場合に得られることになる印刷物ＰＭ０の像を例示する図であるが、これは、レイアウト段階において作成しようと意図された印刷物の出来上がりの像に相当する。
【００３３】
シンボル化処理部６は、ＰＤＬ化レイアウトデータＤＬＰをシンボル化する処理を担う。ここで、シンボル化とは、ＰＤＬ化レイアウトデータＤＬＰの記述内容を所定のアルゴリズムに従ってエンコードして、１または複数の画像オブジェクトを表現する画像データを生成することを意味する。また、シンボル化によって得られる、シンボルを表現する画像データをシンボルデータＤＳと称する。
【００３４】
シンボル化処理には、例えば、バーコードを生成する処理やスタック型の二次元コードあるいはマトリックス型の二次元コード（ＱＲコードなど）を生成する処理などが該当する。すなわち、エンコードの結果得られるバーコードやＱＲコードなどが本実施の形態に係るシンボルに相当する。ただし、後述するように、後段の処理において該シンボルに基づいてデコード処理がなされ、ＰＤＬ化レイアウトデータＤＬＰが復元されることから、シンボル化手法は、デコードによるデータの忠実な復元が可能な、可逆的なエンコード手法であることが必要である。シンボル化処理部６における処理に際しては、こうした種々のシンボル化手法のうちの１つを用いてシンボル化処理が実行される。
【００３５】
なお、本実施の形態においては、採用されるシンボル化処理の種類によっては、一のＰＤＬ化レイアウトデータＤＬＰから複数の画像オブジェクトを得る場合もある。そこで、得られる個々の画像オブジェクトおよびこれが印刷物において表現されたものを「単位シンボル」と称し、単位シンボルを表現する画像データを「単位シンボルデータ」と称し、一のＰＤＬ化データＤＬＰから生成される単位シンボルの集合を「シンボル」と総称することとする。ただし、一のＰＤＬ化レイアウトデータＤＬＰからいくつの単位シンボルが生成されるのかは、ＰＤＬ化レイアウトデータＤＬＰのデータ容量や用いられるシンボル化手法の種別やその処理条件に応じて様々に定めることができる。すなわち、印刷物の表現内容や用紙サイズ、余白の大小などに応じてシンボル化手法が選択され、シンボルの個数が設定される。また、複数の単位シンボルＳＢｎが生成される場合、すなわち、ＰＤＬ化レイアウトデータＤＬＰが分割されてエンコードされる場合は、後述する復元処理装置３における復元処理に際してもとのＰＤＬ化レイアウトデータＤＬＰが正しく復元されるよう、各シンボルからのデコードの順序やデコードされたデータの合成の順序などを示す情報が必要となる。これについては、例えば、個々の単位シンボルＳＢｎの関係を示す記述が付加されたうえで、単位シンボルＳＢｎが生成される態様や、あらかじめデコードする順序を取り決めておく、等の態様によって対応することができる。
【００３６】
シンボル化処理によって得られたシンボルデータＤＳは、上述のようにＰＤＬ変換部５におけるＰＤＬ変換の対象となる。
【００３７】
データ合成部７は、ＰＤＬ化レイアウトデータＤＬＰにＰＤＬ化シンボルデータＤＳＰを合成する処理を担う。これにより、ＰＤＬ化レイアウトデータＤＬＰに基づいて表現される印刷物中に、ＰＤＬ化シンボルデータＤＳＰによって表現されるシンボルが追記される状態が実現される。厳密にいえば、ＰＤＬ化レイアウトデータＤＬＰにはＰＤＬ化シンボルデータＤＳＰに加えて、印刷物におけるシンボルＳＢの配置位置を定める情報も併せて合成される。データの合成に際しては、好ましくはオペレータがＧＵＩを介してシンボルの配置位置を所定範囲内であれば印刷物の任意位置に定めることができるものとされ、確定した配置位置に係る情報が合成される。あるいは、ＰＤＬ化レイアウトデータＤＬＰにあらかじめシンボルＳＢの配置位置を予約する記述がなされており、ＰＤＬ化シンボルデータＤＳＰの合成に際しては、その予約された配置位置にシンボルが配置されるように合成がなされる態様であってもよい。ただし、いずれの態様をとるにせよ、印刷物においてもともと表現しようとする内容と干渉しないような位置、例えば、本来は余白となる位置に配置されることが好ましい。また、シンボルＳＢは、後述する復元処理における読み取りが正確になされるよう、印刷用紙の地色と明瞭に差がある色成分にて印刷されるよう、印刷色が定められているのが好ましい。
【００３８】
係る合成の結果得られるデータが印刷データＤＰである。これが印刷装置２に受け渡されることになる。図５（ａ）は、シンボル化処理としてＱＲコードを生成する処理が用いられる場合に、印刷データＤＰを用いて印刷処理がなされた結果得られる印刷物ＰＭを例示する図である。図５（ｂ）は、単位シンボルＳＢｎの１つを拡大して示す図である。印刷物ＰＭにおいては、図４に示した印刷物ＰＭ０の実体像ＩＭ０と同じ実体像ＩＭに、シンボルＳＢが追加された状態が実現されてなる。すなわち、印刷データＤＰは全体としてＰＤＬ形式で記述されたレイアウトデータであるので、これが印刷装置２に供されて印刷処理が実行されると、もともとレイアウトデータＤＬによって表現されるべき実体像ＩＭ（図４の印刷物ＰＭ０の実体像ＩＭ０と同じ）に、ＰＤＬ化シンボルデータＤＳＰによって表現されるシンボルが付加されてなる印刷物が、得られることになる。
【００３９】
なお、図５（ａ）においては、シンボルＳＢが１０個の単位シンボルＳＢｎ（ＳＢ１〜ＳＢ１０）により構成される場合を例示しているが、単位シンボルＳＢの個数はこれに限定されるものではない。
【００４０】
＜印刷装置＞
印刷装置２は、印刷データ作成装置１において作成された、所定のＰＤＬ形式で記述されてなる印刷データに従って、印刷物の出力処理を行う装置である。例えば印刷装置２は、無版のいわゆるデジタル印刷装置である。印刷装置２は、ジョブ登録手段２１と、ＲＩＰ処理手段２２と、出力手段２３と、制御手段２４とを主として備える。
【００４１】
ジョブ登録手段２１は、装置外部から取得した印刷データに基づく印刷処理を行うために必要な処理に係る処理条件情報と、該印刷データとを関連付け、これを印刷ジョブとして図示しない記憶手段に登録する処理を担う。処理条件情報には、ＰＤＬ形式で記述されている印刷データをラスタライズする際の条件や、出力処理のための条件などが含まれ、印刷装置２のオペレータによって適宜に設定される。あるいは、処理条件情報は、ＪＤＦ（Job Definition Format）のような形式のデータとして、印刷データともども印刷装置２へと受け渡される態様であってもよい。印刷装置２においては、このような印刷ジョブが複数登録可能とされてなる。印刷装置２における印刷は、対象となる印刷データを含む印刷ジョブが所定の方法によってオペレータにより選択されたことに応答し、その選択された印刷ジョブの記述内容に従った処理が実行されることにより実現される。
【００４２】
ＲＩＰ処理手段２２は、処理条件情報として設定された条件に従って、印刷データのラスタライズ処理（ＲＩＰ処理）を担う。出力手段２３は、ＲＩＰ処理により得られたラスターデータにつき、例えば静電写真方式などによる出力処理を、処理条件情報として設定された条件に従って実行する。制御手段２４は、装置各部の動作制御を担うものであり、例えばコンピュータによって実現可能である。
【００４３】
なお、印刷装置２がデジタル印刷装置ではなく刷版を用いて出力処理を行う態様であってもよいが、係る場合、印刷装置２は、製版工程で用いられる装置（イメージセッタやＣＴＰ装置など）と刷版を用いて印刷物を出力する出力装置とから構成されることになる。
【００４４】
＜復元処理装置＞
復元処理装置３は、上述したようなシンボルが印刷された印刷物ＰＭから、該印刷物の表現内容の印刷データ（より詳細に言えば、印刷物ＰＭの実体像ＩＭを表現するＰＤＬ化レイアウトデータ）を復元する処理を担う。復元処理装置３は、読取手段３１と、復元処理手段３２と、制御手段３３とを主として備える。
【００４５】
読取手段３１は、印刷物ＰＭの像、少なくとも印刷物ＰＭに表現されているシンボルＳＢを読み取る処理を担う。読取手段３１は、シンボル化処理の種別やシンボルＳＢの配置態様に応じて好適に構成される。例えばイメージスキャナや、デジタルカメラといった汎用の画像読取装置もしくは撮像装置によって実現されてもよいし、二次元コードリーダやバーコードリーダなどといった専用の読取装置によって構成されてもよい。読取手段３１によって、印刷物ＰＭ上のシンボルＳＢを電子データ化した画像データが得られることになる。
【００４６】
復元処理手段３２は、シンボルＳＢを読み取ることにより得られた画像データにつき、その生成手法（エンコード手法）に対応した手法でデコードして、該シンボルＳＢに含まれる情報、具体的には印刷物ＰＭ０を表現するＰＤＬ化レイアウトデータＤＬＰを復元する処理を担う。
【００４７】
なお、シンボルＳＢが複数の単位シンボルＳＢｎからなる場合、読取手段３１によるシンボルＳＢの読み取りと復元処理手段３２によるデコードとの処理タイミングの関係は、読取手段３１の種別やシンボルＳＢの種類、印刷物における配置態様などによって種々の場合が想定される。例えば、全ての単位シンボルＳＢｎを（あるいは印刷物ＰＭごと）一括して読み取ったうえで、それぞれの単位シンボルＳＢｎに係る画像データを個別に生成したうえでデコードする態様であってもよいし、個々の単位シンボルＳＢｎを読み取るたびにこれを逐次にデコードする態様であってもよい。いずれの場合も、全ての単位シンボルＳＢｎについてのデコードがなされて、これらが合成されることによって、ＰＤＬ化レイアウトデータＤＬＰが復元されることになる。
【００４８】
制御手段３３は、装置各部の動作制御を担う。復元処理手段３２と制御手段３３とは、例えばコンピュータによって実現可能である。すなわち、復元処理装置３は、コンピュータに所定の読取手段が電気的に接続することにより構成することができるものである。
【００４９】
＜印刷データの生成＞
以下、印刷システム１０において実現される印刷データの生成・印刷・復元に係る処理の流れを説明する。図３は、係る処理の流れを示す図である。
【００５０】
まず、印刷データ作成装置１における印刷データＤＰの生成について説明する。なお、以降の説明において、印刷データＤＰの生成に至るまでの途中段階で生成される種々のデータは、適宜、記憶部１３やＲＡＭ１６ｃに格納されるものとする。また、シンボル化の手法としては、ＱＲコード化が採用されているものとする。
【００５１】
まず、オペレータが操作部１１を通じて所定の実行指示を印刷データ作成装置１に与えると、レイアウト編集用のＧＵＩが起動される。オペレータがこのＧＵＩを介して所定の操作を行うことによって、文章や画像などが所望の状態に配置されたレイアウトデータＤＬが生成される（ステップＳ１−１）。
【００５２】
レイアウトデータＤＬが生成された後、オペレータが操作部１１を通じて所定の実行指示を与えると、ＰＤＬ変換部５がこれに応答してレイアウトデータＤＬに所定のＰＤＬ変換を施すことにより、ＰＤＬ化レイアウトデータＤＬＰが生成される（ステップＳ１−２）。図４に示す印刷物ＰＭ０の像が、生成されたＰＤＬ化レイアウトデータＤＬＰを印刷処理に供した場合に得られる像であるとする。
【００５３】
ＰＤＬ化レイアウトデータＤＬＰが得られた後、オペレータが操作部１１を通じて所定の実行指示を与えると、シンボル化処理部６がこれに応答して、あらかじめ定められたシンボル化手法と処理条件とに従ってＰＤＬ化レイアウトデータＤＬＰの記述内容をシンボル化し、シンボルデータＤＳを生成する（ステップＳ１−３）。シンボル化においては、上述のように、一のＰＤＬ化レイアウトデータＤＬＰから複数の単位シンボルＳＢｎを表現する複数の単位シンボルデータが生成される場合もある。図５（ａ）のように１０個の単位シンボルＳＢ１〜ＳＢ１０が印刷される場合であれば、１０個の単位シンボルデータが生成されていることになる。なお、シンボルデータを複数の単位シンボルデータに分割して生成する場合の分割数、つまりはシンボルの数は、それぞれのシンボルについてエンコードされるデータ容量を越えない範囲であれば、係るシンボル化の際に適宜に設定できる態様であってもよい。
【００５４】
シンボルデータＤＳが得られると、引き続き、ＰＤＬ変換部５の作用により、シンボルデータＤＳがレイアウトデータＤＬと同様にＰＤＬ変換されて、ＰＤＬ化シンボルデータＤＳＰが生成される（ステップＳ１−４）。上記の場合、１０個の単位シンボル画像データそれぞれについてＰＤＬ変換がなされ、その変換後のデータのデータセットとしてＰＤＬ化シンボルデータが得られることとなる。係る処理は、シンボル画像を印刷物に印刷可能なものとするための処理である。
【００５５】
ＰＤＬ化シンボルデータＤＳＰが得られると、データ合成部７の作用による、ＰＤＬ化レイアウトデータＤＬＰに対するＰＤＬ化シンボルデータＤＳＰの合成処理がなされて、ＰＤＬ形式で記述された一のレイアウトデータである印刷データＤＰが生成される（Ｓ１−５）。データの合成は、上述したように、オペレータが所定の操作を行うことにより、それぞれの単位シンボルの配置位置が決定されたうえでなされる態様であってもよいし、あらかじめ予約された配置位置に単位シンボルが配置されるように処理される態様であってもよい。
【００５６】
得られた印刷データＤＰは、適宜のタイミングで、ネットワーク経由で印刷装置２へと受け渡される。あるいは、Ｒ／Ｗ部１４において可搬性の記憶媒体に印刷データＤＰが記録され、印刷装置２のオペレータへと受け渡される態様であってもよい。
【００５７】
＜印刷処理＞
次に、印刷装置２において実行される、印刷データＤＰに基づく印刷処理について説明する。
【００５８】
上述のように、印刷データ作成装置１において作成された印刷データは、ネットワークＮを経由して、印刷装置２に受け渡される。あるいは、可搬性の記録媒体に記録された印刷データを、図示しない読出手段にて読み出すことで、印刷装置２が印刷データを取得する態様であってもよい。
【００５９】
印刷装置２においては、ジョブ登録手段２１の作用により、取得した印刷データＤＰについて、印刷ジョブが登録がされる（ステップＳ２−１）。そして、登録された印刷ジョブのいずれかが選択されると、これに応答して該印刷ジョブに係る印刷処理が実行され、印刷物が生成される（ステップＳ２−２）。具体的には、ＲＩＰ処理手段２２の作用により、印刷ジョブに処理条件情報として設定された条件に従って、印刷データのＲＩＰ処理がなされ、出力手段２３の作用により、ＲＩＰ処理により得られたラスターデータに基づく出力処理が、処理条件情報として設定された条件に従って実行される。
【００６０】
本実施の形態においては、印刷データＤＰがＰＤＬ化シンボルデータＤＳＰを含むように作成されてなることから、係る印刷データＤＰについて印刷処理を実行すると、図５（ａ）に示すように、もともと表現されるべき実体像ＩＭ（図４の印刷物ＰＭ０における実体像ＩＭ０と同一の像）にシンボルＳＢが付加されてなる印刷物ＰＭが、生成されることになる。
【００６１】
＜印刷データの復元＞
次に、図５（ａ）に示す印刷物ＰＭから印刷データ、より詳細に言えば印刷用のレイアウトデータであるＰＤＬ化レイアウトデータＤＬＰを復元する処理について説明する。なお、ここでは、説明の簡単のため、印刷物ＰＭの左端に位置する単位シンボルＳＢ１に係る画像データから順にデコードすべきであると取り決められているとする。また、シンボルがＱＲコードによって形成されてなるので、復元処理装置３は、読取手段３１がＱＲコードを読み取り可能で、かつ復元処理手段３２がＱＲコードの画像データから、もとのデータを復元可能であるように構成されていることになる。
【００６２】
まず、復元処理装置３の読取手段３１によって、印刷物ＰＭに印刷されているシンボルＳＢを左端に位置する単位シンボルＳＢ１から順に読み取り、個々の単位シンボルＳＢｎについての画像データ（単位シンボルデータに相当）を生成する（ステップＳ３−１）。図５（ａ）に示す印刷物ＰＭの場合であれば、１０個の単位シンボルＳＢ１〜ＳＢ１０がＱＲコードとして印刷されているので、それぞれがＱＲコードを表現する１０個の画像データが生成されることになる。
【００６３】
シンボルＳＢの画像データが得られると、次に、復元処理手段３２の作用によって、係る１０個の画像データが順次にデコードされる。具体的には、ＱＲコードを復元可能な公知の手法が用いられる。デコードされたデータはエンコード時に定められた合成順序に従って合成される。全てのデータが合成されると、ＰＤＬ化レイアウトデータＤＬＰが復元されたことになる（ステップＳ３−２）。
【００６４】
上述したように、ＰＤＬ化レイアウトデータＤＬＰは、これを印刷装置２による印刷処理に供すれば図４に示すような像の印刷物ＰＭ０を得ることができるデータである。これは、図５に示す印刷物ＰＭの像からシンボルＳＢを除いた部分の像に相当する。すなわち、ＰＤＬ化レイアウトデータＤＬＰは、印刷物ＰＭにおける実体像ＩＭのみを表現するデータ、つまりは、レイアウト段階において作成しようと意図された印刷物を生成することができるデータである。すなわち、係る復元処理により、印刷物の内容を表現する印刷用のレイアウトデータ自体が、該印刷物から忠実に復元できたことになる。係るデータは、印刷物の作成当初にレイアウト処理されＰＤＬ変換されることで得られたデータと同一のデータであるので、印刷物さえ保存しておけば、いつでも該データの復元を行うことができる。
【００６５】
以上、説明したように、本実施の形態によれば、印刷物の状態から、該印刷物を得るための印刷用レイアウトデータを忠実に復元できるので、電子データの形式でデータを保存しておかずとも、係る印刷物を保存しておき、必要に応じて復元処理を実行することで、該レイアウトデータの再利用が容易に行える。換言すれば、印刷データのバックアップデータを、紙媒体の状態で保存し、必要に応じて該バックアップデータを再利用することができる。例えば、比較的印刷工程が簡易な無版のデジタル印刷装置を用いて印刷を行う場合であれば、該印刷物を保存することで、比較的印刷工程が複雑な有版印刷のいわゆる置き版の代わりとすることができる。
【００６６】
＜変形例＞
上述の実施の形態では、印刷物の下方に一列に単位シンボルが並ぶようにシンボルが配置される態様を示しているが、印刷物におけるシンボルの配置の態様、つまりはシンボルデータの合成の態様は、これに限定されない。図６は、他の配置の態様を例示する図である。なお、図６においてＰｏｓ１〜Ｐｏｓ２０は、配置される単位シンボルの順序を示しているが、好ましくは、係る順序はエンコードおよびデコードの際の順序と一致する。
【００６７】
図６（ａ）は、印刷物ＰＭ１の一面に単位シンボルが配置されてなる場合を示している。例えば、ページ物の途中や最後面にある白紙ページに、あるいは片面印刷のページ物の裏面側にシンボルが配置されるような場合がこれに相当する。また、図６（ｂ）は、印刷物ＰＭ２のあるページの四隅に単位シンボルが配置される場合を例示している。図６（ｃ）も同様に、印刷物ＰＭ３のあるページの四隅に単位シンボルが配置される場合を例示しているが、こちらは、単位シンボルが複数のページにまたがって、配置される場合を示している。さらに、図６（ｄ）は、印刷物ＰＭ４のページ全面に、ページサイズに匹敵するサイズの１つのシンボルが配置されてなる場合を示している。
【００６８】
また、シンボル以外の印刷は通常の態様で行うものの、シンボルの印刷のみ、可視光下ではシンボルを視認できない特殊な透明インクを用いて行うようにしてもよい。例えば、ＰＤＬ変換の際、あるいは、データの合成の際に、かかる場合、ページの任意位置にオーバープリントしても、印刷物の実体像の視認を妨げることがないので、本来の表現内容やレイアウト状態によってシンボルの配置位置が制限されることがなくなる。すなわち、図６（ａ）や（ｄ）のようなシンボルの配置を、印刷物の印刷面上に行うこともでき、シンボルの配置の自由度が高まる。この場合、単に印刷物を見る者には通常、データの復元のためにシンボルが印刷されていることがわからないため、該印刷物の作成者が意図しない復元によって内容が改ざんされた印刷物が作成されることが抑制できる。ただしこの場合は、復元処理装置の読取手段が透明インクで印刷されたシンボルを読み取り可能に構成されていることが必要である。
【００６９】
シンボルは、最終的に提供される印刷物の内部に収まるように配置される必要はない。例えば、印刷後の裁断工程で裁ち落とされるような領域に形成される態様であってもよい。この場合、復元処理を行うには裁ち落とし前の印刷物を保存しておくことが必要となる。そのような状態の印刷物を保有していなければ、復元処理は行えないので、該印刷物の作成者が意図しない復元によって内容が改ざんされた印刷物が作成されることが抑制できる。
【００７０】
画像を含む印刷物の場合など、エンコードした場合のデータ容量が大きくなる印刷物の場合、シンボル化の手法によっては著しく多くの数の単位シンボルデータを生成することが必要となり、適切でない。このような場合、ＰＤＬ化レイアウトデータのうち多値画像を表現するイメージデータの部分はエンコードせず、それ以外の部分、つまりテキストや画像の配置情報などの記述についてのみエンコードしてシンボル化する態様であってもよい。かかる場合、復元処理においては、読取手段３１によってシンボルのみならず該イメージデータ部分をも読み取って電子データ化し、デコード時にこれを併せて合成することでも、ＰＤＬ化レイアウトデータをほぼ忠実に復元することができる。これにより、シンボル化の対象となるデータのデータ容量が抑制され、処理が効率化できるとともに、印刷物に形成する単位シンボルの個数を抑制することができる。あるいは、シンボルとそれ以外の箇所とを異なる読取手段によって読み取る態様であってもよい。
【００７１】
同一のシンボルを複数箇所に配置したり、一の印刷データを相異なるシンボル化手法で並行してシンボル化して配置するなどの態様を取ってもよい。これにより、復元処理の確実性を高めることができる。
【００７２】
エンコードの対象となるデータは、公知の手法によって適宜に圧縮され、あるいは暗号化されてよい。
【００７３】
シンボルの生成と配置は、必ずしもレイアウトデータの作成の都度行う必要はなく、その実行の要否を選択できる態様であってもよい。この場合、例えば、初校用の印刷データの作成の際にはシンボルの配置を行わず、再校時のみ行う、といった態様も可能となる。
【００７４】
あるいは、ＰＤＬ変換部５によるレイアウトデータのＰＤＬ化とシンボル化処理部７によるシンボルの生成とは、同時並行的になされてもよい。具体的には、ＰＤＬ変換部５によってレイアウトデータＤＬの記述内容が順次に解釈されてＰＤＬ化レイアウトデータＤＬＰが次第に生成されていくのに応じて、シンボル化の処理が開始される態様であってもよい。あらかじめシンボル化することが既定の場合に、処理時間の短縮が実現できる。
【００７５】
これまでの説明では、ＱＲコードを用いてＰＤＬレイアウトデータをシンボル化することについて説明を行ってきたが、ベリコードやマキシコード等、他の態様のシンボルを利用してもよい。
【００７６】
また、これまでの説明ではシンボルを光学的に読み取り、エンコードする態様について説明してきたが、シンボルを磁気的に読み取るようにしてもよい。
【図面の簡単な説明】
【００７７】
【図１】本発明の実施の形態に係る印刷データ作成装置１を含む印刷システム１０の構造を模式的に示す図である。
【図２】印刷データ作成装置１の制御部１６において実現される機能を説明するための図である。
【図３】印刷システム１０において実現される印刷データの生成・印刷・復元に係る処理の流れを示す図である。
【図４】ＰＤＬ化レイアウトデータＤＬＰを用いて印刷処理を行った場合に得られることになる印刷物ＰＭ０の像を例示する図である。
【図５】印刷データＤＰを用いて印刷処理がなされた結果得られる印刷物ＰＭを例示する図である。
【図６】シンボルについての他の配置の態様を例示する図である。
【符号の説明】
【００７８】
１  印刷データ作成装置
２  印刷装置
３  復元処理装置
１０  印刷システム
ＤＬ  レイアウトデータ
ＤＬＰ  ＰＤＬ化レイアウトデータ
ＤＰ  印刷データ
ＤＳ  シンボルデータ
ＤＳＰ  ＰＤＬ化シンボルデータ
Ｎ  ネットワーク
ＰＭ、ＰＭ０〜ＰＭ４  印刷物
ＳＢ  シンボル
ＳＢｎ（ＳＢ１〜ＳＢ１０）  単位シンボル
【図１】
2006148753.tif 000003
【図２】
2006148753.tif 000004
【図３】
2006148753.tif 000005
【図４】
2006148753.tif 000006
【図５】
2006148753.tif 000007
【図６】
2006148753.tif 000008